(57)【要約】      （修正有）【課題】ぬくもりややさしさといった癒し効果の他に、環境にも優しく消臭、防虫、防カビなどの機能を発揮するベッド装置を提供する。【解決手段】ベッド装置は、下部支え台と、昇降可能な上部ベッド台とで構成されている。これらはともにヒノキ材を加工して形成されている。さらに、上部ベッド台は腰部より起伏駆動できる背板部と膝部を中心に山形に折曲げ可能な脚板部とを別々に動かせるようにしてある。【選択図】図２
0003155168.tif 000002
【実用新案登録請求の範囲】
【請求項１】
四辺形の４隅に配置された支柱の、短辺部両端の支柱を側板で、長辺部は同側板を利用して外辺より内側において複数本の連結材で固定した下部支え台と、同下部支え台と略同じ大きさですのこ状の床材を有する上部ベッド台と、前記下部支え台と上部ベッド台の間に配置された上部ベッド台上下駆動装置とより構成され、前記下部支え台と上部ベッド台のほとんどをヒノキ材で形成したことを特徴とするベッド装置。
【請求項２】
上部ベッド台のすのこ状床材は、腰部に枢着された背板部と脚板部よりなり、背板部は起伏可能に、脚板部は膝部を中心に山形に折曲げ可能にそれぞれの駆動装置を上部ベッド台下方に配置したことを特徴とする請求項１記載のベッド装置。
【考案の詳細な説明】
【技術分野】
【０００１】  本考案は、ベッドの構造および構成部材に関するものである。
【背景技術】
【０００２】  介護福祉の分野では起伏装置の配置や見た目の感覚から、一般的に鉄製品のベッドが採用されている。しかしこれでは、素材が冷たい印象を与えるのに加え、重たくて製品価格も高価である。
また、一般のベッド装置において、くつろいだ雰囲気を醸し出し、快適な寝心地を実現するためにベッドの基体を檜材で形成するものがある（特許文献１参照）。しかしながら、固定した枠体に床部を形成する上下枠を内嵌し、この上下枠を上げ下ろし駆動させる形式のものは、下降する際に枠体と上下枠との間に手指やモノを挟まれることがあり危険である（下記特許文献２参照）。
【先行技術文献】
【特許文献】
【０００３】
【特許文献１】特開平１１−１５５６９４号公報
【特許文献２】実用新案登録第３１４５３７７号公報
【考案の概要】
【考案が解決しようとする課題】
【０００４】  ぬくもりややさしさといった癒し効果の他に、環境にも優しく消臭、防虫、防カビなどの機能を発揮するとともに、身体の不自由な方の為にも危険がなく楽に起き上がることの出来る使い勝手の良い特に介護用ベッドを実現すること。
【課題を解決するための手段】
【０００５】  四辺形の４隅に配置された支柱の、短辺部両端の支柱を側板で、長辺部は同側板を利用して外辺より内側において複数本の連結材で固定した下部支え台と、同下部支え台と略同じ大きさですのこ状の床材を有する上部ベッド台と、前記下部支え台と上部ベッド台の間に配置された上部ベッド台上下駆動装置とより構成され、前記下部支え台と上部ベッド台のほとんどをヒノキ材で形成したことを特徴としている。【０００６】  また、上部ベッド台のすのこ状床材は、腰部に枢着された背板部と脚板部よりなり、背板部は起伏可能に、脚板部は膝部を中心に山形に折曲げ可能にそれぞれの駆動装置を上部ベッド台下方に配置したことを特徴としている。
【考案の効果】
【０００７】  本考案のベッド装置は、ヒノキの香りに包まれてくつろいだ雰囲気で安眠できるとともに人と地球に優しいベッドと言える。また防虫・殺菌効果もあり、湿気に強いため、マットや布団に熱がこもらないという効果がある。
ヒノキ材のベッドとすることにより、ぬくもり・やさしさといった癒しの効果のほか、ヒノキに含まれるヒノキチオールという天然抽出成分が、消臭、抗菌、防虫、防カビ、防腐、消炎機能などに幅広く作用し、衛生面が重要視される介護現場では非常に重宝されるものである。【０００８】  しかも、本考案ベッド装置は、軽量かつシンプルな構造で、介護用ベッドとしても最適であり、ベッド長辺部の下方の下部支え台には連結材等の障害物がないので、ベッドへ腰を下ろしたりベッドからの起き上がりが容易である。すのこ状床材のみの取り替えも簡単に出来る。膝部の折り曲げも楽にできて、身体の不自由な方にも危険なく利用できる気配りがなされている。【０００９】さらに、上部ベッド台をガイドするための外枠体がないので、上部ベッド台を動かず際に手指を挟んで怪我するような危険もなく、体の不自由な人でも安心して使用できる。
【図面の簡単な説明】
【００１０】
【図１】本考案ベッド装置一実施例を示す全体斜視図である、
【図２】背板部を起立させ脚板部を折曲げたときのベッド装置の全体斜視図である。
【図３】上部ベッド台駆動装置の作動状態を示す側面図である。
【図４】上部ベッド台ならびに背板部、脚板部駆動装置の作動状態を示す側面図である。
【考案を実施するための形態】
【００１１】  以下、本考案のベッド装置の実施の形態を図面に基づいて説明する。なお、図１はベッド装置の全体斜視図、図２は使用状態でのベッド装置の全体斜視図、図３は上部ベッド台駆動装置の作動状態を示す側面図、図４は上部ベッド台、背板部、脚板部の作動状態を示す側面図である。
【００１２】  下部支え台１は、四辺形の４隅に配置される支柱１１と側板１２、および複数本の連結材１３で構成されている、側板１２は、短辺側に支柱１１同士を固定し、連結材１３は、四辺形の外辺の内側において、前記側板１２同士を繋いでいる。この連結材１３は、２本以上であれば何本でも良い。
【００１３】  つぎに、上部ベッド台２のすのこ状床材は、腰部２２に枢着された背板部２３と脚板部２４よりなり、背板部２３は軸２６を中心に起伏可能に、脚板部２４は軸２７に枢着され、膝部２５を中心にさらに支軸２１で山形に折曲げ可能に形成されている。
【００１４】  上下駆動装置３は、下部支え台１と上部ベッド台２の間に配置されている。上下用モータ３０は、下部支え台１の連結材１３に取り付けられている。３５は、前記上部ベッド台２の背面４箇所にブラケット３６を介して枢着されたスイングアーム。上下用モータ３０の動きはそれぞれがピン３１で枢支されたリンクアーム３２、連結棒３３、リンクアーム３４を介してスイングアーム３５に伝えられ上部ベッド台２をほぼ水平を保ちながら上下方向に移動する。
【００１５】  ４０は、水平上部ベッド台２２の背板部２３の背面にブラケット４１を介して取り付けられた起伏用モータである。起伏モータ４０の動きは背板部２３の背面に接するスイングアーム４２に伝えられ、背板部２３を背後から押し上げる。すると、背板部２３は支軸２６を中心に起き上がる。なお、４３はスイングアーム４２の先端に取り付けられた無給油ブッシュである。
【００１６】  ５０は、水平上部ベッド台２２の脚板部２４の背面にブラケット４１を介して取り付けられた脚板部駆動モータ、５１は、同モータ５０で駆動されるスイングアームであり、その先端は無給湯ブッシュ５２を介して脚板部２４の背面に当接している。また、脚板部２４の先端にはその両側にローラ２８が設けてあり、上部ベッド台２の枠の側板の一部に形成されたブラケット２９上を転動する。
【実施例】
【００１７】  このように構成されたベッド装置の使用例について説明する。
一般にベッド装置は、使用者の年齢、体格の違い、就寝用、介護用・医療用などの用途の違い、その他使用状況により異なるベッド高さに調整する必要がある。【００１８】  ベッド高さの調整は、上下用モータ３０を駆動することにより上部ベッド台２が水平に持ち上がるので使用者の使い勝手の良い高さに設定する。【００１９】  次に背板部２３の起伏動作は、起伏用モータ４０を駆動させこれに連動しているスイングアーム４２が背板部２３を背後から押し上げることにより行う。なお、背板部２３の起き上がり角度は図４Ａ矢に示すように水平から略９０度まで好きな角度に調整できる。
また、起伏用モータ４０は、上部ベッド台２の背面にブラケット４１を介して取り付けられているために、上部ベッド台２がいかなる高さにあってもスムーズに作動させることができる。なお、ベッドの上下作動と起伏作動を同時に行うこともできる。【００２０】  また、脚板部２４を作動するときには、脚部駆動モータ５０を駆動させる。するとこれに連動しているスイングアーム５１が脚板部２４を背後から押し上げる。脚板部２４の一端は軸２７で上部ベッド台２に軸支されているので、図４に示すように起き上がる。さらにまた、脚板部２４の中間部の膝部２５はその先と支軸２１で連結されているために脚板部２４は山形に折れ曲がる。その際に、脚板部２４の先端部に形成されたローラ２８が、ブラケット２９上を転動するために、図４Ｂ矢で示すように動きが円滑である。
脚板部２４が山形に折り曲がる高さは、スイングアーム５１の押し上げ量で決まるので、どのような角度にも調整できる。背板部２３の起伏作業と脚板部２４の折り曲げ作業とを同時に行うこともできる。【００２１】  このようなベッド装置はすのこ形状の上部ベッド台２上に直接寝具を敷くか、薄手のマットレスを介在させて使用する。ヒノキ材で構成された上部ベッド台２であるので、寝具やマットレスを害虫や細菌から守る事ができる。【００２２】  ヒノキにはヒノキチオールと呼ばれる芳香成分を多く含有しており、このヒノキチオールには鎮静、消臭、殺虫、抗菌などの種々の効果があることが知られている。このため、特に介護用のベッドとして使用する場合にはベッド使用者ならびに周囲に神経をリラックスさせ疲れを癒してくれるのである。【００２３】さらに、前述したように介護用ベッド装置として好適であることを述べてきたが、もちろん介護に関係なく一般的なベッド装置として使用しても記載のように就寝時に気を静め、香りによるくつろいだ雰囲気や、快適な寝心地を得ることができ、心身ともに安眠できるものであることは言うまでも無い。【００２４】また、上部ベッド台２の長辺の下方には、連結材等の部材の配置がないのでベッド使用者が楽に腰を下ろすことができるし、車椅子利用者のベッド介助作業も楽に出来る。脚板部２４の膝部２５を少し持ち上げることによって、身体が足元の方へずれるのを防ぐことが出来る。背板部２３を少し上げたあと、膝部２５を下げる操作を連動させると背上げのときの前ずれならびに圧迫感を軽減できる。介護を必要とする方が起き上がるときには、背板部２３を少しあげて膝部２５を下げることにより少ない負担でスムーズに起き上がることが出来る。、
【符号の説明】
【００２５】  １    下部支え台
１１  支柱
１２  側板
１３  連結材
２    上部ベッド台
２２  腰部
２３  背板部
２４  脚部
３    上下駆動装置
３０  上下用モータ
３２  リンクアーム
４４  起伏モータ
４１  ブラケット
４２  スイングアーム
４３  無給油ブッシュ
５０  脚部駆動モータ
５１  スイングアーム
５２  無給油ブッシュ
【図１】
0003155168.tif 000003
【図２】
0003155168.tif 000004
【図３】
0003155168.tif 000005
【図４】
0003155168.tif 000006
【手続補正書】
【提出日】平成21年8月6日(2009.8.6)
【手続補正１】
【補正対象書類名】明細書
【補正対象項目名】０００５
【補正方法】変更
【補正の内容】
【０００５】四辺形の４隅に配置された支柱の、短辺部両端の支柱を側板で、長辺部は同側板を利用して外辺より内側において複数本の連結材で固定した下部支え台と、同下部支え台と略同じ大きさですのこ状の床材を有する上部ベッド台と、前記下部支え台と上部ベッド台の間に配置された上部ベッド台上下駆動装置とより構成され、前記下部支え台と上部ベッド台をヒノキ材で形成したことを特徴としている。
【手続補正２】
【補正対象書類名】実用新案登録請求の範囲
【補正対象項目名】請求項１
【補正方法】変更
【補正の内容】
【請求項１】
四辺形の４隅に配置された支柱の、短辺部両端の支柱を側板で、長辺部は同側板を利用して外辺より内側において複数本の連結材で固定した下部支え台と、同下部支え台と略同じ大きさですのこ状の床材を有する上部ベッド台と、前記下部支え台と上部ベッド台の間に配置された上部ベッド台上下駆動装置とより構成され、前記下部支え台と上部ベッド台をヒノキ材で形成したことを特徴とするベッド装置。